(57)【要約】【課題】熱湯を注いで調理するカップラーメンやトレー焼きそばなどを収容する、発泡スチロール製などのカップ状又はトレー状の容器３０に被せて、周端部を熱融着して密封する蓋材２０であって、蓋材２０を中央付近まで剥がして熱湯を注ぐ時に、容器３０が閉蓋して熱湯が注ぎ難いなどの問題がないアルミレス蓋材を提供する。【解決手段】本発明は、少なくとも紙材料層２と樹脂フィルム層３とイージーピール層４とを積層して成る、周端につまみ片ａを有する円形状又は角を丸めた長方形状の蓋材２０において、蓋材２０のつまみ片ａの反対側の周端部と中央部との間に、少なくとも紙材料層２を貫通した切れ目状やスリット状などの繋止孔ｂを設けて、この繋止孔ｂの周辺部分の紙材料層２の内面側に、剥離部分ｃを設けたアルミレス蓋材である。【選択図】図１
2006219154.tif 000002
【特許請求の範囲】
【請求項１】
少なくとも紙材料層２と樹脂フィルム層３とイージーピール層４とを積層して成る、周端につまみ片ａを有する蓋材２０において、蓋材２０のつまみ片ａの反対側の周端部と中央部との間に、少なくとも紙材料層２を貫通した繋止孔ｂを設けて、この繋止孔ｂの周辺部分の紙材料層２の内面側に、剥離部分ｃを設けたことを特徴とするアルミレス蓋材。
【発明の詳細な説明】
【技術分野】
【０００１】
本発明は、熱湯を注いで調理するカップラーメンやトレー焼きそばなどを収容する、発泡スチロール製などのカップ状又はトレー状の容器３０に被せて、周端部を熱融着して密封する円形状又は角を丸めた長方形状の蓋材２０であって、蓋材２０を中央付近まで剥がして熱湯を注ぐ時に、容器３０が閉蓋して熱湯が注ぎ難いなどの問題がないアルミレス蓋材に関する。
【背景技術】
【０００２】
従来から、熱湯を注いで調理するカップラーメンやトレー焼きそばなどを収容する、発泡スチロール製などのカップ状又はトレー状の容器３０に被せて、周端部を熱融着して密封する円形状又は角を丸めた長方形状の、例えば図３Ａ ,Ｂに示すような、適宜の紙材料層２と適宜の樹脂フィルム層３と７〜９μｍ程度のアルミニウム箔５と適宜のイージーピール層４とを、図示していない接着剤や接着性樹脂などを介して積層して成る蓋材２０が、一般に広く用いられているものであって、
蓋材２０を中央付近まで剥がして外側に折曲げて、容器３０を途中まで開蓋した状態で熱湯を注ぐ時に、この７〜９μｍ程度のアルミニウム箔５に、与えられた形状をそのまま保持する性質( デットホールド性と言う )があるために、蓋材２０の紙材料層２と樹脂フィルム層３とイージーピール層４との、元の形状に戻ろうとする性質( 形状記憶性と言う
)を抑えて、外側に折曲げた蓋材２０が元の形状に戻る恐れがないものであって、容器３０が閉蓋して熱湯が注ぎ難いなどの問題はなかった。
【０００３】
また従来から、熱湯を注いで調理するカップラーメンやトレー焼きそばなどを収容する、発泡スチロール製などのカップ状又はトレー状の容器３０に被せて、周端部を熱融着して密封する円形状又は角を丸めた長方形状の蓋材２０であって、廃棄時の処理処分や食品類の金属探知などが難しいとの理由で、前述した７〜９μｍ程度のアルミニウム箔５を積層していないアルミレスの蓋材２０が、強く望まれて用いられている。
【０００４】
すなわち、例えば図３Ａ ,Ｃに示すような、上質紙や片面アート紙などの、表面に美麗な印刷をした紙材料層２と、ポリエステルや延伸ナイロンやセラミック蒸着付のポリエステル ,延伸ポリプロピレンなどの、強度や各種バリアー性などが優れた樹脂フィルム層３と、エチレンーメタアクリル酸共重合体(EMAA)やエチレンー酢酸ビニル共重合体(EVA )やポリエチレンとポリブテンとのブレンド樹脂などの、密封性などが優れている上に、熱融着した後に容易に剥がすことができるイージーピール層４とを、それぞれ図示していないウレタン系の接着剤や低密度ポリエチレンの接着性樹脂などを介して積層して成る、周端につまみ片ａを有する円形状又は角を丸めた長方形状のアルミレスの蓋材２０である。
【０００５】
特許文献は、以下のとおりである。
【特許文献１】特開２００２−１０４５１３号公報
【発明の開示】
【発明が解決しようとする課題】
【０００６】
ところが従来の、図３Ａ ,Ｃに示すアルミレスの蓋材２０については、円形状又は角を丸めた長方形状の蓋材２０の、周端のつまみ片ａに指を掛けて、やゝ強く引張るだけで、簡単にカップ状又はトレー状の容器３０を開蓋することができる、廃棄時の処理処分や食品類の金属探知などが容易なアルミレスの蓋材２０であるものの、
蓋材２０を中央付近まで剥がして外側に折曲げて、容器３０を途中まで開蓋した状態で熱湯を注ぐ時に、蓋材２０の紙材料層２が、熱湯から発生する蒸気の影響を受けて元の形
状に戻ろうとするために、また蓋材２０の樹脂フィルム層３とイージーピール層４とに、元の形状に戻ろうとする性質があるために、外側に折曲げた蓋材２０が元の形状に戻ることが多くて、容器３０が閉蓋して熱湯が注ぎ難いなどの問題があった。
【０００７】
そこで、本発明の目的は、熱湯を注いで調理するカップラーメンやトレー焼きそばなどを収容する、発泡スチロール製などのカップ状又はトレー状の容器３０に被せて、周端部を熱融着して密封する円形状又は角を丸めた長方形状の蓋材２０であって、蓋材２０を中央付近まで剥がして外側に折曲げて、容器３０を途中まで開蓋した状態で熱湯を注ぐ時に、外側に折曲げた蓋材２０が元の形状に戻る恐れがない、容器３０が閉蓋して熱湯が注ぎ難いなどの問題がないアルミレス蓋材を提供することにある。
【課題を解決するための手段】
【０００８】
本発明のアルミレス蓋材は、図１に示すように、少なくとも紙材料層２と樹脂フィルム層３とイージーピール層４とを積層して成る、周端につまみ片ａを有する蓋材２０において、蓋材２０のつまみ片ａの反対側の周端部と中央部との間に、少なくとも紙材料層２を貫通した繋止孔ｂを設けて、この繋止孔ｂの周辺部分の紙材料層２の内面側に、剥離部分ｃを設けたことを特徴とするアルミレス蓋材である。
【０００９】
本発明のアルミレス蓋材においては、前述した図３Ａ ,Ｃに示すアルミレスの蓋材２０と同様の、少なくとも紙材料層２と樹脂フィルム層３とイージーピール層４とを積層して成る、周端につまみ片ａを有する円形状又は角を丸めた長方形状の、廃棄時の処理処分や食品類の金属探知などが容易な蓋材２０において、蓋材２０のつまみ片ａの反対側の周端部と中央部との間に、少なくとも紙材料層２を貫通した切れ目状やスリット状などの繋止孔ｂを設けて、この繋止孔ｂの周辺部分の紙材料層２の内面側に、剥離部分ｃを設けたことによって、
円形状又は角を丸めた長方形状の蓋材２０の、周端のつまみ片ａに指を掛けて引張って、蓋材２０を中央付近まで剥がして外側に折曲げて、容器３０を途中まで開蓋した状態で熱湯を注ぐ時に、図２Ａ ,Ｂに示すように、蓋材２０のつまみ片ａの反対側の周端部と中央部との間に設けた、少なくとも紙材料層２を貫通した繋止孔ｂと、この繋止孔ｂの周辺部分の紙材料層２の内面側に設けた剥離部分ｃとに、外側に折曲げた蓋材２０のつまみ片ａを挿入して繋止することができるために、蓋材２０の紙材料層２が、熱湯から発生する蒸気の影響を受けて元の形状に戻ろうとしても、また蓋材２０の樹脂フィルム層３とイージーピール層４とに、元の形状に戻ろうとする性質があったとしても、外側に折曲げた蓋材２０が元の形状に戻る恐れがない、容器３０が閉蓋して熱湯が注ぎ難いなどの問題がないアルミレス蓋材を得ることができる。
【発明の効果】
【００１０】
以上、本発明のアルミレス蓋材においては、熱湯を注いで調理するカップラーメンやトレー焼きそばなどを収容する、発泡スチロール製などのカップ状又はトレー状の容器３０に被せて、周端部を熱融着して密封する蓋材２０の、周端のつまみ片ａに指を掛けて、やゝ強く引張るだけで、簡単にカップ状又はトレー状の容器３０を開蓋することができる、廃棄時の処理処分や食品類の金属探知などが容易な蓋材２０であって、
蓋材２０を中央付近まで剥がして外側に折曲げて、容器３０を途中まで開蓋した状態で熱湯を注ぐ時に、蓋材２０のつまみ片ａの反対側の周端部と中央部との間に設けた、少なくとも紙材料層２を貫通した繋止孔ｂと、この繋止孔ｂの周辺部分の紙材料層２の内面側に設けた剥離部分ｃとに、外側に折曲げた蓋材２０のつまみ片ａを挿入して繋止することができるために、外側に折曲げた蓋材２０が元の形状に戻る恐れがない、容器３０が閉蓋して熱湯が注ぎ難いなどの問題がないアルミレス蓋材を提供することができる。
【発明を実施するための最良の形態】
【００１１】
以下、実施例１に示すとおりである。
【実施例１】
【００１２】
図１Ａ ,Ｂは、本発明の実施例１における、アルミレス蓋材の平面図 ,断面説明図であって、図１Ｃは、このアルミレス蓋材を、容器３０に熱融着して密封した状態を示す断面図である。また図２Ａ ,Ｂは、本発明の実施例１における、容器３０に熱融着して密封したアルミレス蓋材を、中央付近まで剥がした状態を示す断面図 ,断面説明図である。
【００１３】
すなわち、それぞれ巻取り状の、片面アート紙１３０ｇ／ｍ2 の、表面に美麗な絵柄と耐水性ワニスとを印刷した紙材料層２と、セラミック蒸着(SiO2,400nm)付のポリエステルフィルム(PET )１２μｍの、強度や各種バリアー性などが優れた樹脂フィルム層３と、エチレンー酢酸ビニル共重合体フィルム(EVA )３０μｍの、密封性などが優れている上に、熱融着した後に容易に剥がすことができるイージーピール層４とを用いて、
まず紙材料層２の、後述する繋止孔ｂの周辺部分の内面側に、ワックス系の剥離インキ( 東洋インキ製造（株）製、塗布量10g/m2 )を印刷することによって、図１Ａ ,Ｂに示す縦横が２４×１８ｍｍの剥離部分ｃを設けて、この紙材料層２の、蓋材２０のつまみ片ａの反対側の周端部と中央部とのほゞ中間の位置に、通常の金属刃を用いた打抜工程で、図１Ａ ,Ｂに示す１ｍｍ幅×１５ｍｍの貫通した弓形スリット状の繋止孔ｂを設けた後に、
図１Ｂに示すように、それぞれ前述した紙材料層２と樹脂フィルム層３とイージーピール層４とを、それぞれ図示していない低密度ポリエチレンの接着性樹脂( 15μm)とウレタン系の接着剤( 5g/m2)とを介して、通常の熱押出しラミネート工程と通常のドライラミネート工程とで積層して、図１Ａに示すように、通常の金属刃を用いた打抜工程で、周端につまみ片ａを有する１００ｍｍφの円形状の蓋材２０を作製した。
【００１４】
次に、図１Ａに示す周端につまみ片ａを有する１００ｍｍφの円形状の蓋材２０を、図１Ｃに示すように、熱湯を注いで調理するカップラーメンを収容する、発泡スチロール製の外径が９５ｍｍφのカップ状の容器３０に被せて、この容器３０のフランジｄに蓋材２０の周端部を熱融着して密封したところ、前述した図３Ａ ,Ｃに示すアルミレスの蓋材２０と同様に、１００ｍｍφの円形状の蓋材２０の、周端のつまみ片ａに指を掛けて、やゝ強く引張るだけで、簡単に外径が９５ｍｍφのカップ状の容器３０を開蓋することができる、前述した図３Ｂに示す７〜９μｍ程度のアルミニウム箔５を積層していないために、廃棄時の処理処分や食品類の金属探知などが容易なアルミレス蓋材が得られた。
【００１５】
本実施例１のアルミレス蓋材においては、それぞれ前述した片面アート紙の紙材料層２とセラミック蒸着付のポリエステルフィルムの樹脂フィルム層３とエチレンー酢酸ビニル共重合体フィルムのイージーピール層４とを積層して成る、周端につまみ片ａを有する１００ｍｍφの円形状の蓋材２０において、図１Ａ ,Ｂに示すように、蓋材２０のつまみ片ａの反対側の周端部と中央部とのほゞ中間の位置に、１ｍｍ幅×１５ｍｍの紙材料層２を貫通した弓形スリット状の繋止孔ｂを設けて、この繋止孔ｂの周辺部分の紙材料層２の内面側に、縦横が２４×１８ｍｍの剥離部分ｃを設けたことによって、
１００ｍｍφの円形状の蓋材２０の、周端のつまみ片ａに指を掛けて引張って、蓋材２０を中央付近まで剥がして外側に折曲げて、外径が９５ｍｍφのカップ状の容器３０を途中まで開蓋した状態で熱湯を注ぐ時に、図２Ａ ,Ｂに示すように、蓋材２０のつまみ片ａの反対側の周端部と中央部とのほゞ中間の位置に設けた、１ｍｍ幅×１５ｍｍの紙材料層２を貫通した弓形スリット状の繋止孔ｂと、この繋止孔ｂの周辺部分の紙材料層２の内面側に設けた、縦横が２４×１８ｍｍの剥離部分ｃとに、外側に折曲げた蓋材２０のつまみ片ａを挿入して繋止することができるために、蓋材２０の片面アート紙の紙材料層２が、熱湯から発生する蒸気の影響を受けて元の形状に戻ろうとしても、また蓋材２０のセラミック蒸着付のポリエステルフィルムの樹脂フィルム層３とエチレンー酢酸ビニル共重合体フィルムのイージーピール層４とに、元の形状に戻ろうとする性質があったとしても、外
側に折曲げた蓋材２０が元の形状に戻る恐れがない、容器３０が閉蓋して熱湯が注ぎ難いなどの問題がないアルミレス蓋材を得ることができた。
【図面の簡単な説明】
【００１６】
【図１】本発明の実施例１における、図１Ａ ,Ｂは、アルミレス蓋材の平面図 ,断面説明図であって、図１Ｃは、アルミレス蓋材を、容器３０に熱融着して密封した状態を示す断面図である。
【図２】本発明の実施例１における、図２Ａ ,Ｂは、容器３０に熱融着して密封したアルミレス蓋材を、中央付近まで剥がした状態を示す断面図 ,断面説明図である。
【図３】図３Ａ ,Ｂ ,Ｃは、従来の蓋材２０の平面図 ,断面説明図である。
【符号の説明】
【００１７】
２    …紙材料層
３    …樹脂フィルム層
４    …イージーピール層
５    …アルミニウム箔
２０  …蓋材
３０  …容器
ａ    …つまみ片
ｂ    …繋止孔
ｃ    …剥離部分
ｄ    …フランジ
【図１】
2006219154.tif 000003
【図２】
2006219154.tif 000004
【図３】
2006219154.tif 000005